(57)【要約】  アクセス端末が、間欠送信（ＤＴＸ）を可能にするように適応される。一例によれば、アクセス端末は、ＣＤＭＡ  １ｘ技術において利用されるフレーム早期終了動作の動作と干渉しないような様式で、連続逆方向リンク送信が行われ得るように、ＤＴＸを無効にすることを判断する。一例として、アクセス端末は、ワイヤレス通信ネットワークの性能メトリックに従ってＤＴＸの利用を中止し得る。性能メトリックは、基地局の順方向リンク電力制御設定点、基地局において利用されている擬似直交機能セットの数、基地局からの順方向リンク送信に対応するフレーム消去の数、またはネットワーク性能の任意の他の好適な測定可能なパラメータであり得る。他の態様、実施形態、および特徴も請求され、説明される。
2015533067.tif 000002
【特許請求の範囲】
【請求項１】
ワイヤレス通信ネットワークにおける動作のために構成されたアクセス端末において動作可能なワイヤレス通信の方法であって、
所定のゲーティングパターンを利用して逆方向リンクトラフィックチャネルを送信することと、
前記ワイヤレス通信ネットワークの性能メトリックに従って、前記所定のゲーティングパターンを利用することを中止することを判断することと
を備える、方法。
【請求項２】
前記ワイヤレス通信ネットワークの前記性能メトリックが、基地局の順方向リンク電力制御設定点を備える、請求項１に記載の方法。
【請求項３】
前記所定のゲーティングパターンを前記利用することを中止することを前記判断することは、前記順方向リンク電力制御設定点が最大設定点の所定の量内にあると判断することを備える、請求項２に記載の方法。
【請求項４】
前記ワイヤレス通信ネットワークの前記性能メトリックが、基地局によって利用されている擬似直交関数セットの数を備える、請求項１に記載の方法。
【請求項５】
前記所定のゲーティングパターンを前記利用することを中止することを前記判断することは、前記アクセス端末において受信された無線構成パラメータメッセージ中の所定の数よりも多いＰＮが、それぞれしきい値数よりも多い有効にされた擬似直交関数セットを有すると判断することを備える、請求項４に記載の方法。
【請求項６】
前記ワイヤレス通信ネットワークの前記性能メトリックが、順方向リンク送信に対応するフレーム消去の数を備える、請求項１に記載の方法。
【請求項７】
前記所定のゲーティングパターンを前記利用することを中止することを前記判断することは、しきい値数よりも多いフレーム消去が所定のウィンドウ内で生じると判断することを備える、請求項６に記載の方法。
【請求項８】
ワイヤレス通信の方法であって、
所定のゲーティングパターンを利用して逆方向リンクトラフィックチャネルを送信することと、
前記所定のゲーティングパターンが、フレーム早期終了のために利用されるＡＣＫＭａｓｋパターンと重複すると判断することと、
前記ＡＣＫＭａｓｋパターンと重複しない少なくとも１つのＰＣＧ中に前記逆方向リンクトラフィックチャネルの送信を可能にするために前記ゲーティングパターンを変更することと
を備える、方法。
【請求項９】
前記ゲーティングパターンを前記変更することが、少なくとも１つのオフＰＣＧをオンＰＣＧに変更することを備える、請求項８に記載の方法。
【請求項１０】
ワイヤレス通信ネットワークにおける動作のために構成されたアクセス端末であって、
所定のゲーティングパターンを利用して逆方向リンクトラフィックチャネルを送信するための手段と、
前記ワイヤレス通信ネットワークの性能メトリックに従って、前記所定のゲーティングパターンを前記利用することを中止することを判断するための手段と
を備える、アクセス端末。
【請求項１１】
前記ワイヤレス通信ネットワークの前記性能メトリックが、基地局の順方向リンク電力制御設定点を備える、請求項１０に記載のアクセス端末。
【請求項１２】
前記所定のゲーティングパターンを前記利用することを中止することを判断するための前記手段は、前記順方向リンク電力制御設定点が最大設定点の所定の量内にあると判断するための手段を備える、請求項１１に記載のアクセス端末。
【請求項１３】
前記ワイヤレス通信ネットワークの前記性能メトリックが、基地局によって利用されている擬似直交関数セットの数を備える、請求項１０に記載のアクセス端末。
【請求項１４】
前記所定のゲーティングパターンを前記利用することを中止することを判断するための前記手段は、前記アクセス端末において受信された無線構成パラメータメッセージ中の所定の数よりも多いＰＮが、それぞれしきい値数よりも多い有効にされた擬似直交関数セットを有すると判断するための手段を備える、請求項１３に記載のアクセス端末。
【請求項１５】
前記ワイヤレス通信ネットワークの前記性能メトリックが、順方向リンク送信に対応するフレーム消去の数を備える、請求項１０に記載のアクセス端末。
【請求項１６】
前記所定のゲーティングパターンを前記利用することを中止することを判断するための前記手段は、しきい値数よりも多いフレーム消去が所定のウィンドウ内で生じると判断するための手段を備える、請求項１５に記載のアクセス端末。
【請求項１７】
ワイヤレス通信ネットワークにおける動作のために構成されたアクセス端末であって、
所定のゲーティングパターンを利用して逆方向リンクトラフィックチャネルを送信するための手段と、
前記所定のゲーティングパターンが、フレーム早期終了のために利用されるＡＣＫＭａｓｋパターンと重複すると判断するための手段と、
前記ＡＣＫＭａｓｋパターンと重複しない少なくとも１つのＰＣＧ中に前記逆方向リンクトラフィックチャネルの送信を可能にするために前記ゲーティングパターンを変更するための手段と
を備える、アクセス端末。
【請求項１８】
前記ゲーティングパターンを変更するための前記手段が、少なくとも１つのオフＰＣＧをオンＰＣＧに変更するための手段を備える、請求項１７に記載のアクセス端末。
【請求項１９】
ワイヤレス通信ネットワークにおける動作のために構成されたアクセス端末であって、
少なくとも１つのプロセッサと、
前記少なくとも１つのプロセッサに通信可能に結合されたメモリと、
前記少なくとも１つのプロセッサに通信可能に結合された通信インターフェースと
を備え、
ここにおいて、前記少なくとも１つのプロセッサが、
所定のゲーティングパターンを利用して逆方向リンクトラフィックチャネルを送信することと、
前記ワイヤレス通信ネットワークの性能メトリックに従って、前記所定のゲーティングパターンを前記利用することを中止することを判断することと
を行うように構成された、アクセス端末。
【請求項２０】
前記ワイヤレス通信ネットワークの前記性能メトリックが、基地局の順方向リンク電力制御設定点を備える、請求項１９に記載のアクセス端末。
【請求項２１】
前記所定のゲーティングパターンを前記利用することを中止することを判断するように構成された前記少なくとも１つのプロセッサは、前記順方向リンク電力制御設定点が最大設定点の所定の量内にあると判断するようにさらに構成された、請求項２０に記載のアクセス端末。
【請求項２２】
前記ワイヤレス通信ネットワークの前記性能メトリックが、基地局によって利用されている擬似直交関数セットの数を備える、請求項１９に記載のアクセス端末。
【請求項２３】
前記所定のゲーティングパターンを前記利用することを中止することを判断するように構成された前記少なくとも１つのプロセッサは、前記アクセス端末において受信された無線構成パラメータメッセージ中の所定の数よりも多いＰＮが、それぞれしきい値数よりも多い有効にされた擬似直交関数セットを有すると判断するようにさらに構成された、請求項２２に記載のアクセス端末。
【請求項２４】
前記ワイヤレス通信ネットワークの前記性能メトリックが、順方向リンク送信に対応するフレーム消去の数を備える、請求項１９に記載のアクセス端末。
【請求項２５】
前記所定のゲーティングパターンを前記利用することを中止することを判断するように構成された前記少なくとも１つのプロセッサは、しきい値数よりも多いフレーム消去が所定のウィンドウ内で生じると判断するようにさらに構成された、請求項２４に記載のアクセス端末。
【請求項２６】
ワイヤレス通信ネットワークにおける動作のために構成されたアクセス端末であって、
少なくとも１つのプロセッサと、
前記少なくとも１つのプロセッサに通信可能に結合されたメモリと、
前記少なくとも１つのプロセッサに通信可能に結合された通信インターフェースと
を備え、
ここにおいて、前記少なくとも１つのプロセッサは、
所定のゲーティングパターンを利用して逆方向リンクトラフィックチャネルを送信することと、
前記所定のゲーティングパターンが、フレーム早期終了のために利用されるＡＣＫＭａｓｋパターンと重複すると判断することと、
前記ＡＣＫＭａｓｋパターンと重複しない少なくとも１つのＰＣＧ中に前記逆方向リンクトラフィックチャネルの送信を可能にするために前記ゲーティングパターンを変更することと
を行うように構成された、アクセス端末。
【請求項２７】
前記ゲーティングパターンを変更するように構成された前記少なくとも１つのプロセッサが、少なくとも１つのオフＰＣＧをオンＰＣＧに変更するようにさらに構成された、請求項２６に記載のアクセス端末。
【請求項２８】
ワイヤレス通信ネットワークにおける動作のために構成されたアクセス端末中で動作可能なコンピュータ可読記憶媒体であって、
コンピュータに、所定のゲーティングパターンを利用して逆方向リンクトラフィックチャネルを送信させるための命令と、
コンピュータに、前記ワイヤレス通信ネットワークの性能メトリックに従って、前記所定のゲーティングパターンを前記利用することを中止することを判断させるための命令と
を備える、コンピュータ可読記憶媒体。
【請求項２９】
前記ワイヤレス通信ネットワークの前記性能メトリックが、基地局の順方向リンク電力制御設定点を備える、請求項２８に記載のコンピュータ可読記憶媒体。
【請求項３０】
コンピュータに、前記所定のゲーティングパターンを前記利用することを中止することを判断させるための前記命令は、コンピュータに、前記順方向リンク電力制御設定点が最大設定点の所定の量内にあると判断させるための命令を備える、請求項２９に記載のコンピュータ可読記憶媒体。
【請求項３１】
前記ワイヤレス通信ネットワークの前記性能メトリックが、基地局によって利用されている擬似直交関数セットの数を備える、請求項２８に記載のコンピュータ可読記憶媒体。
【請求項３２】
コンピュータに、前記所定のゲーティングパターンを前記利用することを中止することを判断させるための前記命令は、コンピュータに、前記アクセス端末において受信された無線構成パラメータメッセージ中の所定の数よりも多いＰＮが、それぞれしきい値数よりも多い有効にされた擬似直交関数セットを有すると判断させるための命令を備える、請求項３１に記載のコンピュータ可読記憶媒体。
【請求項３３】
前記ワイヤレス通信ネットワークの前記性能メトリックが、順方向リンク送信に対応するフレーム消去の数を備える、請求項２８に記載のコンピュータ可読記憶媒体。
【請求項３４】
コンピュータに、前記所定のゲーティングパターンを前記利用することを中止することを判断させるための前記命令は、コンピュータに、しきい値数よりも多いフレーム消去が所定のウィンドウ内で生じると判断させるための命令を備える、請求項３３に記載のコンピュータ可読記憶媒体。
【請求項３５】
ワイヤレス通信ネットワークにおける動作のために構成されたアクセス端末中で動作可能なコンピュータ可読記憶媒体であって、
コンピュータに、所定のゲーティングパターンを利用して逆方向リンクトラフィックチャネルを送信させるための命令と、
コンピュータに、前記所定のゲーティングパターンが、フレーム早期終了のために利用されるＡＣＫＭａｓｋパターンと重複すると判断させるための命令と、
コンピュータに、前記ＡＣＫＭａｓｋパターンと重複しない少なくとも１つのＰＣＧ中に前記逆方向リンクトラフィックチャネルの送信を可能にするために前記ゲーティングパターンを変更させるための命令と
を備える、コンピュータ可読記憶媒体。
【請求項３６】
コンピュータに前記ゲーティングパターンを変更させるための前記命令が、コンピュータに少なくとも１つのオフＰＣＧをオンＰＣＧに変更させるための命令を備える、請求項３５に記載のコンピュータ可読記憶媒体。
【発明の詳細な説明】
【技術分野】
【０００１】
優先権主張
[0001]本出願は、２０１１年１１月２日に出願された米国非仮出願第６１／５５４，８８８号、および２０１２年１０月１１日に出願された米国非仮出願第６１／７１２，７６８号の優先権および利益を主張する、２０１２年１０月２９日に出願された米国出願第１３／６６３，０６１号の一部継続出願である。前記出願のすべてが、以下にそれらの全体が完全に記載されるかのように、およびすべての適用可能な目的のために、参照により本明細書に明確に組み込まれる。
【０００２】
[0002]以下で説明する技術は、一般にワイヤレス通信に関し、より詳細には、ワイヤレス通信システムにおいて動作するアクセス端末のための間欠送信（ＤＴＸ：discontinuous transmission）を可能にするための方法およびデバイスに関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、ワイヤレス通信を可能にするように適応された様々なタイプのデバイスによってアクセスされ得、複数のデバイスが、利用可能なシステムリソース（たとえば、時間、周波数、および電力）を共有する。そのようなワイヤレス通信システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]複数のタイプのデバイスが、そのようなワイヤレス通信システムを利用するように適応される。そのようなデバイスは概してアクセス端末と呼ばれることがある。１つまたは複数のワイヤレス通信システムにアクセスするように適応されたアクセス端末が、ますます普及しつつあり、消費者は、アクセス端末上で動作する電力集約的アプリケーションをしばしば使用する。アクセス端末は、一般に、限られた電源（たとえば、充電式バッテリー）によって電力供給され、したがって、充電間のアクセス端末の動作寿命を延長するのを支援するために様々なモードで動作し得る。所与のバッテリー容量について、電力消費のレートおよび量が、アクセス端末が再充電することなしにどのくらい動作することができるかを決定する。電力消費の別の見方は、バッテリー再充電間の動作時間の所与の量について、平均電力消費量が、必要とされるバッテリー容量、したがって、バッテリーのサイズ、重量、およびコストを規定することである。アクセス端末の電力消費を低減することにより、バッテリー要件がより低くなり得、コストを節約することができる。アクセス端末動作を拡張するのを支援し得る機能が望まれる。
【発明の概要】
【０００５】
[0005]以下で、本開示の１つまたは複数の態様の基本的理解を与えるために、そのような態様の簡略化された概要を提示する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示するより詳細な説明の導入として、本開示の１つまたは複数の態様のいくつかの概念を簡略化された形で提示することである。
【０００６】
[0006]一態様では、本開示は、ワイヤレス通信ネットワークにおける動作のために構成されたアクセス端末において動作可能なワイヤレス通信の方法を提供する。ここで、本方法は、所定のゲーティングパターン（gating pattern）を利用して逆方向リンクトラフィックチャネルを送信するステップと、ワイヤレス通信ネットワークの性能メトリック（performance metric）に従って、所定のゲーティングパターンを利用することを中止することを判断するステップとを含む。
【０００７】
[0007]本開示の別の態様は、所定のゲーティングパターンを利用して逆方向リンクトラフィックチャネルを送信するステップと、所定のゲーティングパターンが、フレーム早期終了（frame early termination）のために利用されるＡＣＫＭａｓｋパターンと重複すると判断するステップと、ＡＣＫＭａｓｋパターンと重複しない少なくとも１つのＰＣＧ中に逆方向リンクトラフィックチャネルの送信を可能にするためにゲーティングパターンを変更するステップとを含む、ワイヤレス通信の方法を提供する。
【０００８】
[0008]本開示の別の態様は、所定のゲーティングパターンを利用して逆方向リンクトラフィックチャネルを送信するための手段と、ワイヤレス通信ネットワークの性能メトリックに従って、所定のゲーティングパターンを利用することを中止することを判断するための手段とを含む、ワイヤレス通信ネットワークにおける動作のために構成されたアクセス端末を提供する。
【０００９】
[0009]本開示の別の態様は、所定のゲーティングパターンを利用して逆方向リンクトラフィックチャネルを送信するための手段と、所定のゲーティングパターンが、フレーム早期終了のために利用されるＡＣＫＭａｓｋパターンと重複すると判断するための手段と、ＡＣＫＭａｓｋパターンと重複しない少なくとも１つのＰＣＧ中に逆方向リンクトラフィックチャネルの送信を可能にするためにゲーティングパターンを変更するための手段とを含む、ワイヤレス通信ネットワークにおける動作のために構成されたアクセス端末を提供する。
【００１０】
[0010]本開示の別の態様は、少なくとも１つのプロセッサと、少なくとも１つのプロセッサに通信可能に結合されたメモリと、少なくとも１つのプロセッサに通信可能に結合された通信インターフェースとを含み、ここにおいて、少なくとも１つのプロセッサは、所定のゲーティングパターンを利用して逆方向リンクトラフィックチャネルを送信することと、ワイヤレス通信ネットワークの性能メトリックに従って、所定のゲーティングパターンを利用することを中止することを判断することとを行うように構成された、ワイヤレス通信ネットワークにおける動作のために構成されたアクセス端末を提供する。
【００１１】
[0011]本開示の別の態様は、少なくとも１つのプロセッサと、少なくとも１つのプロセッサに通信可能に結合されたメモリと、少なくとも１つのプロセッサに通信可能に結合された通信インターフェースとを含み、ここにおいて、少なくとも１つのプロセッサは、所定のゲーティングパターンを利用して逆方向リンクトラフィックチャネルを送信することと、所定のゲーティングパターンが、フレーム早期終了のための利用されるＡＣＫＭａｓｋパターンと重複すると判断することと、ＡＣＫＭａｓｋパターンと重複しない少なくとも１つのＰＣＧ中に逆方向リンクトラフィックチャネルの送信を可能にするためにゲーティングパターンを変更することとを行うように構成された、ワイヤレス通信ネットワークにおける動作のために構成されたアクセス端末を提供する。
【００１２】
[0012]本開示の別の態様は、コンピュータに、所定のゲーティングパターンを利用して逆方向リンクトラフィックチャネルを送信させるための命令と、コンピュータに、ワイヤレス通信ネットワークの性能メトリックに従って、所定のゲーティングパターンを利用することを中止することを判断させるための命令とを含む、ワイヤレス通信ネットワークにおける動作のために構成されたアクセス端末中で動作可能なコンピュータ可読記憶媒体を提供する。
【００１３】
[0013]本開示の別の態様は、コンピュータに、所定のゲーティングパターンを利用して逆方向リンクトラフィックチャネルを送信させるための命令と、コンピュータに、所定のゲーティングパターンが、フレーム早期終了のために利用されるＡＣＫＭａｓｋパターンと重複すると判断させるための命令と、コンピュータに、ＡＣＫＭａｓｋパターンと重複しない少なくとも１つのＰＣＧ中に逆方向リンクトラフィックチャネルの送信を可能にするためにゲーティングパターンを変更させるための命令とを含む、ワイヤレス通信ネットワークにおける動作のために構成されたアクセス端末中で動作可能なコンピュータ可読記憶媒体を提供する。
【００１４】
[0014]本発明のこれらおよび他の態様は、以下の発明を実施するための形態を検討すればより十分に理解されよう。本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１５】
【図１】[0015]本開示の１つまたは複数の態様が適用され得るネットワーク環境のブロック図。
【図２】[0016]いくつかの実施形態による、図１のワイヤレス通信システムの選択構成要素を示すブロック図。
【図３】[0017]いくつかの実施形態による、アクセス端末の選択構成要素を示すブロック図。
【図４】[0018]いくつかの実施形態による、ＤＴＸモードの例を示す２つのアップリンクサブフレームのブロック図。
【図５】[0019]いくつかの実施形態による、ネットワークパラメータに従ってＤＴＸ動作を無効にすることを示すフローチャート。
【図６】[0020]いくつかの実施形態による、ゲーティングパターンを修正するためのプロセスを示すフローチャート。
【発明を実施するための形態】
【００１６】
[0021]添付の図面に関して以下に示す説明は、様々な構成を説明するものであり、本明細書で説明する概念が実施され得る唯一の構成を表すものではない。以下の説明は、様々な概念の完全な理解を与えるための具体的な詳細を含む。ただし、これらの概念はこれらの具体的な詳細なしに実施され得ることが当業者には明らかであろう。いくつかの事例では、説明される概念および特徴を不明瞭にしないように、よく知られている回路、構造、技法および構成要素をブロック図の形式で示す。
【００１７】
[0022]本開示全体にわたって提示する様々な概念は、多種多様な電気通信システム、ネットワークアーキテクチャ、および通信規格にわたって実装され得る。本開示のいくつかの態様がＣＤＭＡ  １ｘプロトコルおよびシステムについて以下で説明され、関係する用語が以下の説明の大部分において見つけられ得る。しかしながら、本開示の１つまたは複数の態様が、１つまたは複数の他のワイヤレス通信プロトコルおよびシステムにおいて採用され、それらの中に含まれ得ることを、当業者は認識されよう。
【００１８】
[0023]図１を参照すると、本開示の１つまたは複数の態様が適用され得るネットワーク環境のブロック図が示されている。ワイヤレス通信システム１００は、１つまたは複数の基地局１０２とアクセス端末１０４との間のワイヤレス通信を可能にするように適応される。基地局１０２とアクセス端末１０４とは、ワイヤレス信号を介して互いに対話するように適応され得る。いくつかの事例では、そのようなワイヤレス相互作用は、複数のキャリア（異なる周波数の波形信号）上で行われ得る。各被変調信号は、制御情報（たとえば、パイロット信号）、オーバーヘッド情報、データなどを搬送し得る。
【００１９】
[0024]基地局１０２は、基地局アンテナを介してアクセス端末１０４とワイヤレス通信することができる。基地局１０２はそれぞれ、概して、（１つまたは複数のアクセス端末１０４のための）ワイヤレス通信システム１００へのワイヤレス接続性を可能にするように適応されたデバイスとして実装され得る。そのような基地局１０２は、当業者によって、送受信基地局（ＢＴＳ）、無線基地局、無線トランシーバ、トランシーバ機能、基本サービスセット（ＢＳＳ）、および拡張サービスセット（ＥＳＳ）、ノードＢ、フェムトセル、ピコセル、または何らかの他の好適な用語で呼ばれることもある。
【００２０】
[0025]基地局１０２は、基地局コントローラ（図２参照）の制御下でアクセス端末１０４と通信するように構成される。基地局１０２のサイトの各々は、それぞれの地理的エリアに通信カバレージを与えることができる。各基地局１０２のためのカバレージエリア１０６は、ここでは、セル１０６ａ、１０６ｂ、または１０６ｃとして識別される。基地局１０２のためのカバレージエリア１０６は、（図示されていないが、カバレージエリアの一部分のみを構成する）セクタに分割され得る。様々な例では、システム１００は、異なるタイプの基地局１０２を含み得る。
【００２１】
[0026]１つまたは複数のアクセス端末１０４はカバレージエリア１０６全体にわたって分散され得る。各アクセス端末１０４は１つまたは複数の基地局１０２と通信し得る。アクセス端末１０４は、概して、ワイヤレス信号を介して１つまたは複数の他のデバイスと通信する１つまたは複数のデバイスを含み得る。そのようなアクセス端末１０４は、当業者によって、ユーザ機器（ＵＥ）、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、ユーザエージェント、モバイルクライアント、クライアント、または何らかの他の好適な用語で呼ばれることもある。アクセス端末１０４は、モバイル端末および／または少なくとも実質的に固定の端末を含み得る。アクセス端末１０４の例としては、モバイルフォン、ページャ、ワイヤレスモデム、携帯情報端末、個人情報マネージャ（ＰＩＭ）、パーソナルメディアプレーヤ、パームトップコンピュータ、ラップトップコンピュータ、タブレットコンピュータ、テレビジョン、アプライアンス、電子リーダー、デジタルビデオレコーダ（ＤＶＲ）、マシンツーマシン（Ｍ２Ｍ）デバイス、および／または少なくとも部分的にワイヤレスまたはセルラーネットワークを介して通信する他の通信／コンピューティングデバイスがある。
【００２２】
[0027]図２を参照すると、少なくとも１つの例による、ワイヤレス通信システム１００の選択構成要素を示すブロック図が示されている。図示のように、基地局１０２は、無線アクセスネットワーク（ＲＡＮ）２０２の少なくとも一部として含まれる。無線アクセスネットワーク（ＲＡＮ）２０２は、概して、１つまたは複数のアクセス端末１０４と、コアネットワーク２０４中に含まれるネットワークエンティティなどの１つまたは複数の他のネットワークエンティティとの間のトラフィックおよびシグナリングを管理するように適応される。無線アクセスネットワーク２０２は、様々な実装形態によれば、当業者によって、基地局サブシステム（ＢＳＳ）、アクセスネットワーク、ＧＳＭ（登録商標）エッジ無線アクセスネットワーク（ＧＥＲＡＮ：GSM Edge Radio Access Network）、ＵＭＴＳ地上波無線アクセスネットワーク（ＵＴＲＡＮ：UMTS Terrestrial Radio Access Network）などと呼ばれることがある。
【００２３】
[0028]１つまたは複数の基地局１０２に加えて、無線アクセスネットワーク２０２は、当業者によって無線ネットワークコントローラ（ＲＮＣ）と呼ばれることもある基地局コントローラ（ＢＳＣ）２０６を含むことができる。基地局コントローラ２０６は、概して、基地局コントローラ２０６に接続された１つまたは複数の基地局１０２に関連する１つまたは複数のカバレージエリア内でのワイヤレス接続の確立、解放、および維持を担当する。基地局コントローラ２０６は、コアネットワーク２０４の１つまたは複数のノードまたはエンティティに通信可能に結合され得る。
【００２４】
[0029]コアネットワーク２０４は、無線アクセスネットワーク２０２を介して接続されたアクセス端末１０４に様々なサービスを与えるワイヤレス通信システム１００の一部分である。コアネットワーク２０４は、回線交換（ＣＳ：circuit-switched）ドメインとパケット交換（ＰＳ：packet-switched）ドメインとを含み得る。回線交換エンティティのいくつかの例としては、ＭＳＣ／ＶＬＲ２０８として識別される、モバイル交換センター（ＭＳＣ：mobile switching center）およびビジターロケーションレジスタ（ＶＬＲ：visitor location register）、ならびにゲートウェイＭＳＣ（ＧＭＳＣ：Gateway MSC）２１０がある。パケット交換要素のいくつかの例としては、サービングＧＰＲＳサポートノード（ＳＧＳＮ：Serving GPRS Support Node）２１２およびゲートウェイＧＰＲＳサポートノード（ＧＧＳＮ：Gateway GPRS Support Node）２１４がある。ＥＩＲ、ＨＬＲ、ＶＬＲおよび／またはＡｕＣなど、他のネットワークエンティティが含まれ得、それらの一部または全部が回線交換ドメインとパケット交換ドメインの両方によって共有され得る。アクセス端末１０４は、回線交換ドメインを介して公衆交換電話網（ＰＳＴＮ：public switched telephone network）２１６へのアクセスを取得し、パケット交換ドメインを介してＩＰネットワーク２１８へのアクセスを取得することができる。
【００２５】
[0030]ワイヤレス通信システム１００は、１ｘＥＶ−ＤＯネットワークなど、データ最適化アーキテクチャおよび／またはプロトコルを採用し得る。アクセス端末１０４がそのようなシステム１００内で動作するとき、アクセス端末１０４は、トラフィックモード（またはトラフィック状態）およびドーマント（dormant）モード（またはドーマント状態）を含む、様々な動作モードを採用し得る。トラフィックモードでは、ワイヤレス通信システム１００は、アクセス端末１０４と基地局１０２との間の通信のためにエアリンクリソースを割り振る。ドーマントモードでは、トラフィックチャネルはティアダウンされ、エアリンクリソースはアクセス端末１０４において電源切断される。したがって、これらのリソースを動作させるために必要とされる電力がドーマントモード中に温存され、それにより、アクセス端末１０４におけるバッテリー寿命を延長する。アクセス端末１０４の他のサブシステムはまた、ドーマントモード中の大部分の時間の間、電源切断されるかまたは「省電力」モードに入れられ得る。アクセス端末１０４は、ページングメッセージのためのページングチャネル（ＰＣＨ：paging channel）など、制御チャネルを監視するために時々「起動（wake up）」し得る。そのようなページングメッセージは、着信音声またはデータ呼の発生についてアクセス端末１０４に警告するメッセージと、アクセス端末１０４のためのシステム情報および他の情報を搬送する制御／オーバーヘッドメッセージとを含み得る。
【００２６】
[0031]アクセス端末１０４は、ボイス呼またはデータ通信に応答してドーマント状態からトラフィック状態に遷移し得る。ボイス呼またはデータ通信は、（アクセス端末１０４への）着信または（アクセス端末１０４からの）発信であり得る。逆に、トラフィックアクティビティがいくらかの所定の時間期間の間停止するとき、アクセス端末１０４はトラフィック状態からドーマント状態に遷移し得る。一般に、無線ネットワークは２つの状態間の遷移を制御する。
【００２７】
[0032]アクセス端末１０４がワイヤレス通信システム１００内で動作するとき、トラフィックアクティビティは基地局１０２とアクセス端末１０４との間でまったく非対称であり得る。言い換えれば、一方向において、反対方向よりもかなり多いトラフィックが通信され得る。これは、ダウンリンクトラフィックフローが一般にアップリンクトラフィックフローを大きいマージンだけ超えるとき、データ通信について特にそうである。たとえば、アクセス端末１０４におけるユーザは、比較的長い時間期間の間大きいファイルをダウンロードし、たいてい制御情報はアップリンク上で通信されていることがある。制御情報は、様々なレイヤ、たとえば、インターネットプロトコル（ＩＰ）肯定応答、ならびに物理エアリンクの電力制御、レート制御、およびパイロットからのものであり得る。非対称トラフィックの別の例は、ユーザクリックの間にギャップが発生し、単一のウェブページクリックから発信した１つのページ中でダウンロードされるオブジェクト間にギャップが発生する、インターネットブラウジングである。同様に、インターネットオーディオ／無線およびビデオストリーミングは、データがダウンロードしている間、非アクティビティ期間に遭遇する。そのような時間期間中、アクセス端末１０４のアップリンクリソースは、一般に、電源投入されたままであり、したがって電力を消費し続けるが、それらは、ユーザ（ペイロード）データをアクセス端末１０４から基地局１０２に送信するために必要とされない。
【００２８】
[0033]アクセス端末１０４などのモバイルデバイスにおける長いバッテリー寿命の重要性により、より低い電力を利用するためにハードウェアを改善することにおける広範な取り組みに加えて、多くのアルゴリズムおよび技法が電力消費を低減するために開発された。たとえば、音声通信における無音期間中など、送るべきデータがないときに電力消費を低減するためにスマートブランキングアルゴリズムが利用された。さらに、電力消費がさらにより重要であるアクティブデータ送信中、逆方向リンク送信機が電源投入されている持続時間を低減するために間欠送信（ＤＴＸ）モードが利用された。すなわち、アクセス端末１０４はデータとパイロットの両方をゲートオフし得、このことは、依然として受信機（すなわち、基地局１０２）が確実にデータを復号することを可能にしながら、これらの信号が時間の一部（たとえば、時間の半分）だけ送信されることを意味する。ここで、ゲートオンされると、アクセス端末１０４における電力消費は比較的高く、送信電力に基づくが、ゲートオフされている間は、電力増幅器がオフになっているので、電力消費は比較的低い。ここで、電流消費は、逆方向リンク送信電力の線形関数ではなく、代わりに送信電力レベルの大部分について相対的に平坦であるので、ＤＴＸを有効にすることによって達成され得る、送信チェーンのオン時間の低減は、かなりの電力消費低減を実現する。
【００２９】
[0034]いくつかの従来のアクセス端末では、ＤＴＸは、ワイヤレス通信システム１００がＤＴＸを採用すべきか否かをアクセス端末に示すように、システム１００によって制御される。しかしながら、いくつかの例では、アクセス端末がワイヤレス通信システム１００とは無関係にＤＴＸを採用することを可能にすることが、電力消費とネットワーク干渉の両方にとって有益である。ここで、そのような動作はデバイス限定ＤＴＸ（device-only DTX）と呼ばれることがある。デバイス限定ＤＴＸを用いて、アクセス端末１０４は、ゲーティングのタイミングまたは他の態様を調整するために基地局１０２または他のネットワークノードと通信することなしに、それの逆方向リンク送信を自律的にゲートする。むしろ、逆方向リンク送信において冗長性およびロバストなコーディングを利用することによって、これらの送信は、電力消費を低減するためにできる限り、たとえば、受信機における復号性能の観点から許容できるレベルまでオフにされ得る。
【００３０】
[0035]一方、基地局１０２において、モバイルデバイスの使用が増加すると、基地局容量の問題が起こり得る。特に、基地局によってサービスされるアクセス端末の数が上昇するにつれて、干渉および帯域幅の問題によって容量が限定され得る。基地局１０２における容量を改善するための１ｘアドバンスト技術に実装される１つの例示的な技法は、「フレーム早期終了」と呼ばれる。ここで、基地局１０２が順方向リンク上でフレームを送信するとき、ＳＮＲが十分に高い場合、アクセス端末１０４はフレームの終了よりも早くフレームを復号することが可能であり得る。したがって、アクセス端末１０４はフレームを正常に復号すると、それは、フレームが正常に受信されたことを示し、フレームの公称長よりも早くフレームの送信を終了することを基地局１０２に知らせる肯定応答（ＡＣＫ）メッセージを送信することができる。このようにして、順方向リンク送信はより少なく冗長であり得るので、基地局１０２によって使用されるリソースは温存され得る。その上、さもなければ継続的な順方向リンク送信によって引き起こされたであろう干渉が、それの早期終了によって緩和され得る。
【００３１】
[0036]アクセス端末１０４によるこれらのＡＣＫメッセージの送信のためのタイミングは、ＡＣＫＭａｓｋと呼ばれる、ある「マスク」に対応する。特に、ＡＣＫＭａｓｋは、アクセス端末１０４がその間にフレーム早期終了のためのＡＣＫメッセージを送信すべきＰＣＧのセットを識別する。ここで、基地局１０２は、概して、ＡＣＫＭａｓｋに関する情報をアクセス端末１０４に送信する。
【００３２】
[0037]これらのＤＴＸおよびフレーム早期終了プロシージャはワイヤレス通信システムの特性をそれぞれ向上させることができるが、それらが同時に一緒に利用されるとき、アクセス端末の送信機がオフにされるＤＴＸタイミングが、フレーム早期終了のためのＡＣＫメッセージを送信するようにアクセス端末１０４がスケジュールされるタイミングと一致し得ることが起こり得る。この場合、アクセス端末１０４がフレームを適切に受信し、フレームの送信の早期終了を要求することを意図したにもかかわらず、アクセス端末１０４は、ＡＣＫメッセージを送信することに失敗することがある。
【００３３】
[0038]したがって、本開示の１つまたは複数の態様は、フレーム早期終了動作の適切な動作と干渉しない好適な様式でのＤＴＸ動作の無効化を与える。より詳細には、アクセス端末１０４は、１つまたは複数のネットワークパラメータに従って、ＤＴＸ動作に対応する逆方向リンク送信のゲーティングを無効にすることを判断し得る。ここで、ネットワークパラメータは、基地局１０２またはアクセスネットワーク中の他の好適なノードに対応する様々な（アクセス端末によって）測定可能なパラメータのうちのいずれかに対応し、限定はしないが、順方向リンク送信における雑音、順方向リンク送信の性能メトリックなどを含み得る。
【００３４】
[0039]図３を参照すると、本開示の少なくとも一例による、アクセス端末１０４の選択構成要素を示すブロック図が示されている。アクセス端末１０４は、通信インターフェース３０４と記憶媒体３０６とに結合された、またはそれらと電気通信させられた処理回路３０２を含む。
【００３５】
[0040]処理回路３０２は、データを取得し、処理しおよび／または送り、データアクセスおよび記憶を制御し、コマンドを発行し、他の所望の動作を制御するように構成される。処理回路３０２は、少なくとも１つの例において適切な媒体によって与えられた所望のプログラミングを実装するように適応された回路を含み得る。たとえば、処理回路３０２は、１つまたは複数のプロセッサ、１つまたは複数のコントローラ、および／または実行可能プログラミングを実行するように構成された他の構造として実装され得る。処理回路３０２の例としては、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理構成要素、個別ゲートまたはトランジスタ論理、個別ハードウェア構成要素、あるいは本明細書で説明する機能を実行するように設計されたそれらの任意の組合せがあり得る。汎用プロセッサは、マイクロプロセッサ、ならびに任意の従来のプロセッサ、コントローラ、マイクロコントローラ、または状態機械を含み得る。処理回路３０２はまた、ＤＳＰとマイクロプロセッサとの組合せ、いくつかのマイクロプロセッサ、ＤＳＰコアと連携する１つまたは複数のマイクロプロセッサ、ＡＳＩＣとマイクロプロセッサ、あるいは任意の他の数の様々な構成など、コンピューティング構成要素の組合せとして実装され得る。処理回路３０２のこれらの例は説明のためであり、本開示の範囲内の他の好適な構成も企図される。
【００３６】
[0041]処理回路３０２は、記憶媒体３０６に記憶され得るプログラミングの実行を含む処理に適応される。本明細書で使用する「プログラミング」という用語は、限定はしないが、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００３７】
[0042]通信インターフェース３０４は、アクセス端末１０４のワイヤレス通信を可能にするように構成される。たとえば、通信インターフェース３０４は、１つまたは複数のワイヤレスネットワークデバイス（たとえば、ネットワークノード）に関して双方向の情報の通信を可能にするように適用された回路および／またはプログラミングを含み得る。通信インターフェース３０４は、１つまたは複数のアンテナ（図示せず）に結合され得、少なくとも１つの受信機回路３０８（たとえば、１つまたは複数の受信機チェーン）および／または少なくとも１つの送信機回路３１０（たとえば、１つまたは複数の送信機チェーン）を含むワイヤレストランシーバ回路を含む。限定ではなく例として、送信機回路３１０は、電力増幅器、フィルタバンク、および他の送信機チェーン構成要素を含み得る。
【００３８】
[0043]記憶媒体３０６は、プロセッサ実行可能コードまたは命令（たとえば、ソフトウェア、ファームウェア）などのプログラミング、電子データ、データベース、あるいは他のデジタル情報を記憶するための１つまたは複数のコンピュータ可読デバイス、機械可読デバイス、および／またはプロセッサ可読デバイスを表し得る。記憶媒体３０６はまた、プログラミングを実行するときに、処理回路３０２によって操作されるデータを記憶するために使用され得る。記憶媒体３０６は、ポータブルまたは固定ストレージデバイス、光ストレージデバイス、および記憶し、搬送し、プログラミングすることが可能な様々な他の媒体を含む、汎用または専用プロセッサによってアクセスされ得る任意の利用可能な媒体であり得る。限定ではなく例として、記憶媒体３０６は、磁気ストレージデバイス（たとえば、ハードディスク、フロッピー（登録商標）ディスク、磁気ストリップ）、光記憶媒体（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、および／またはプログラミングを記憶するための他の媒体などのコンピュータ可読、機械可読および／またはプロセッサ可読記憶媒体、ならびに任意のそれらの組合せを含み得る。
【００３９】
[0044]記憶媒体３０６は、処理回路３０２が記憶媒体３０６から情報を読み取り、記憶媒体３０６に情報を書き込むことができるように処理回路３０２に結合され得る。すなわち、記憶媒体３０６は、記憶媒体３０６が少なくとも処理回路３０２によってアクセス可能であるように処理回路３０２に結合され得、記憶媒体３０６が処理回路３０２と一体である例、および／または記憶媒体３０６が処理回路３０２とは別個である（たとえば、アクセス端末１０４に常駐する、アクセス端末１０４の外部にある、複数のエンティティ上に分散される）例を含む。
【００４０】
[0045]記憶媒体３０６によって記憶されたプログラミングは、処理回路３０２によって実行されたとき、本明細書で説明する様々な機能および／またはプロセスステップのうちの１つまたは複数を処理回路３０２に実行させる。たとえば、記憶媒体３０６は間欠送信（ＤＴＸ）動作３１２を含み得る。ＤＴＸ動作３１２は、処理回路３０２に、本明細書で説明したように、ＤＴＸ動作の有効化および無効化を採用および管理させ、いくつかの例では、ＤＴＸ動作のために利用されるゲーティングパターンを制御するように適応される。さらに、記憶媒体３０６はフレーム早期終了動作３１４を含み得る。フレーム早期終了動作３１４は、処理回路３０２に、フレームが適切に復号されたという判断などの動作、ならびに好適なＡＣＫＭａｓｋによる肯定応答（ＡＣＫ）のスケジューリングおよび送信を採用および管理させるように適応される。
【００４１】
[0046]したがって、本開示の１つまたは複数の態様によれば、処理回路３０２は、本明細書で説明するアクセス端末（たとえば、アクセス端末１０４、アクセス端末１０４）のいずれかまたはすべてのためのプロセス、機能、ステップおよび／またはルーチンのいずれかまたはすべてを（記憶媒体３０６と併せて）実行するように適応される。本明細書で使用する、処理回路３０２に関する「適応される」という用語は、本明細書で説明する様々な特徴に従って、処理回路３０２が、特定のプロセス、機能、ステップおよび／またはルーチンを実行するように（記憶媒体３０６と併せて）構成、採用、実装、および／またはプログラムされることのうちの１つまたは複数を指すことがある。
【００４２】
[0047]図４は、本開示のいくつかの態様による、１ｘ  ＤＴＸモードの一例としてアップリンクフレームを示すブロック図である。概して、１ｘは、それぞれ２０ミリ秒長であるフレームを採用する。各１ｘフレームは、スロット、タイムスロット、または電力制御グループ（ＰＣＧ：power control group）と呼ばれる１６個の等しい期間に分割される。図４に示されているように、フレーム４０２は、０〜１５の番号を付けられた１６個のＰＣＧ４０４を含む。
【００４３】
[0048]ＤＴＸモードがアクセス端末１０４によって有効にされたとき、アクセス端末１０４と１つまたは複数のネットワークエンティティ（たとえば、基地局１０２）との間の通信は図４に示されている例に示すように行われ得る。図示のように、アクセス端末１０４は交互のオンおよびオフパターン（たとえば、２つのオンＰＣＧの後ろに２つのオフＰＣＧが続く構成）による通信を行うように適応される。この例では、アクセス端末１０４は、２つのＰＣＧのために送信機回路３０４の電源を投入し、次いで、２つのＰＣＧのために送信機回路３０４の１つまたは複数の構成要素の電源を切断することができる。図４に図示された特定の例では、送信機回路３０４は、フレームのＰＣＧ２、３、６、７、１０、１１、１４、および１５中の逆方向リンク送信のために電源投入され、送信機回路３０４の少なくとも一部は、ＰＣＧ０、１、４、５、８、９、１２、および１３中の逆方向リンク送信のために電源切断され得る。このシーケンスは、いくつかの例では、各フレーム中に繰り返され得る。図４中の例は、ＤＴＸモードのための１つの可能なゲーティングパターンを示すが、各フレーム内でのオンおよびオフ期間の持続時間および／またはオンおよびオフ期間の特定のロケーションにおける変形形態を含む、他の変形形態も可能であることが明らかとなろう。
【００４４】
[0049]上記で説明したように、本開示の１つまたは複数の態様は、フレーム早期終了動作の適切な動作と干渉しないような好適な様式での、１つまたは複数のネットワークパラメータによるＤＴＸ動作の無効化を与える。本明細書において以下で、アクセス端末１０４における動作のいくつかの例について、いくつかのネットワークパラメータに関して、本開示の範囲内の特定の実装例として説明する。
【００４５】
[0050]本開示の一態様では、ＤＴＸを無効にすべきかどうかを判断するためにアクセス端末１０４によって利用されるパラメータは、順方向リンク電力制御設定点に対応し得る。詳細には、順方向リンク電力制御設定点が所定の最大設定点の所与の量内である場合、ＤＴＸは無効にされ得る。本開示の別の態様では、ＤＴＸの無効化は、基地局１０２によって利用されているのをアクセス端末１０４が検出したチャネライゼーションコード（channelization code）の数に対応し得る。すなわち、一定数よりも多いチャネライゼーションコードが利用されており、基地局１０２が相応して多数のアクセス端末と通信していることを示す場合、ＤＴＸは無効にされ得る。本開示のさらに別の態様では、ＤＴＸの無効化は、順方向リンク送信上に生じるフレーム消去の数に対応し得る。すなわち、アクセス端末１０４が一定数よりも多いフレーム消去が生じると判断した場合、ＤＴＸは無効にされ得る。これらの３つのパラメータの各々について、次に、図５に関して以下でさらに詳細に説明する。
【００４６】
[0051]すなわち、図５は、本開示の一態様による、ＤＴＸ動作を無効にすべきかどうかを判断するためのアクセス端末１０４において動作可能な例示的なプロセス５００を示すフローチャートである。図示されたプロセスでは、ＤＴＸを無効にすべきかどうかを判断するために３つの特定のパラメータがアクセス端末１０４によって検査され、図示されたパラメータのうちの任意の１つまたは複数が、ＤＴＸを無効にするために利用され得る。もちろん、図示されたプロセスは、本質的に例示的なものにすぎず、特定の実装形態では、アクセス端末は図示されたパラメータのサブセットのみを検査し得、本開示の範囲内の他の例では、アクセス端末は、上記で説明したように、ネットワーク構成および／またはネットワーク性能に対応する他の好適な測定可能なパラメータを利用するように構成され得ることを、当業者なら理解されよう。
【００４７】
[0052]図５を参照すると、ステップ５０２において、アクセス端末１０４がＤＴＸ動作を有効にする。たとえば、いくつかの例ではネットワークから示され得、他の例ではアクセス端末１０４において判断されるかまたはあらかじめ判断され得る好適なゲーティングパターンに従って、アクセス端末１０４からの逆方向リンク送信が、上記で説明したＤＴＸ動作３１２によって管理され得る。
【００４８】
[0053]５０４において、順方向リンク電力制御設定点が所定の最大設定点の所与の距離内にある場合、ＤＴＸを無効にする。
【００４９】
[0054]すなわち、基地局１０２が順方向リンクを送信するとき、順方向リンク送信の送信電力はある電力制御設定点と比較される。この電力制御設定点は、設定点を調整するために構成された基地局１０２によって送信された情報要素に従って、アクセス端末１０４において設定される。すなわち、受信された順方向リンクに対応するフレームエラーレートが高いとき、アクセス端末１０４はそれの電力制御設定点を増加させることができ、フレームエラーレートが低いとき、アクセス端末１０４はそれの電力制御設定点を減少させ得る。フレームエラーレートは、巡回冗長検査（ＣＲＣ：cyclic redundancy check）など、好適なエラー検査アルゴリズムに従ってアクセス端末１０４において判断され得る。
【００５０】
[0055]１ｘ規格によれば、基地局１０２における順方向リンク送信電力は、最大順方向リンク電力制御設定点に従って限定される。電力制御設定点がそれの最大値に近い点まで増加させられた場合、基地局１０２における容量の必要が増加し得る。これらの状況下では、上記で説明したように、アクセス端末１０４からの逆方向リンク送信のためのＤＴＸがフレーム早期終了機能と干渉することがあるので、フレーム早期終了が意図したように動作し、基地局における送信電力を低減することを可能にするために、アクセス端末１０４におけるＤＴＸ機能が無効にされ得る。
【００５１】
[0056]この場合、アクセス端末１０４は、受信された順方向リンク送信に従って、最大順方向リンク電力制御設定点と現在の順方向リンク電力制御設定点との間の差分が、ある（たとえば、所定の）しきい値量内であるかどうかを判断するように構成され得る。はいの場合、アクセス端末１０４は、ＤＴＸ動作を無効にするためにステップ５１０に進み得る。
【００５２】
[0057]５０６において、無線構成パラメータメッセージ（ＲＣＰＭ：Radio Configuration Parameters Message）中の所定の数よりも多いＰＮが、それぞれ一定数よりも多い有効にされた擬似直交関数（ＱＯＦ：quasi-orthogonal function）セットを有する場合、ＤＴＸは無効にされ得る。
【００５３】
[0058]すなわち、ＣＤＭＡ送信を拡散するかまたは変調するために、ウォルシュコードと呼ばれる直交チャネライゼーションコードのセットが、概して、アップリンク（逆方向リンク）送信のためにアクセス端末によって使用される。基地局１０２は、したがって、アクセス端末を区別し、それらの逆方向リンク送信を復号するために、同じチャネライゼーションコードで構成された相関受信機を利用する。したがって、アクセス端末固有チャネライゼーションコードが、概して、セル中の各アクセス端末に割り当てられる。
【００５４】
[0059]しかしながら、チャネルがより多くの送信を持続させることができるように、干渉が相対的に低いとき、それは多数のアクセス端末が同じセル中でアクティブである場合であり得る。この場合、セルの容量は、アクセス端末に割り当てられることが可能なウォルシュコードの数によって限定される。
【００５５】
[0060]したがって、ウォルシュコード枯渇に苦しむセルの容量を拡大するために、ＣＤＭＡ技術へのより最近の追加が、擬似直交関数（ＱＯＦ）を導入した。ここで、あるマスキング関数をウォルシュコードに乗算することによってＱＯＦが生成され、セル中のアクセス端末への割当てのために利用可能なアクセス端末固有チャネライゼーションコードのセットの拡大が生じることがある。いくつかの例では、各擬似ランダム数（ＰＮ：pseudorandom number）（たとえば、ウォルシュコード）は、チャネライゼーションコードのセットをさらに拡大するために、２つ以上の異なるマスキング関数と混合され得る。
【００５６】
[0061]ＱＯＦの使用が望まれるとき、ＲＣＰＭ中で識別される各擬似ランダム数（ＰＮ）（たとえば、ウォルシュコード）に対応する情報が、対応するＰＮの各々のために１つまたは複数のＱＯＦセットが有効にされることを示し得る。したがって、アクセス端末１０４は、しきい値数よりも多い有効にされたＱＯＦを有するＲＣＰＭ内のＰＮの数に従って、基地局が相対的に大きい数のユーザをサポートしていると判断することが可能であり得る。この場合、基地局における容量を改善するために、さもなければフレーム早期終了動作の適切な動作と干渉し得るＤＴＸ動作を中止することは有利であり得る。
【００５７】
[0062]したがって、本開示の一態様によれば、ＲＣＰＭ中の所定の数よりも多いＰＮが、それぞれ一定数よりも多い有効にされたＱＯＦセットを有する場合、プロセスはステップ５１０に進み得、ここにおいて、アクセス端末１０４は、ＤＴＸを無効にし、それにより、フレーム早期終了の問題の可能性を低減し、基地局におけるより良い電力低減を可能にし得る。
【００５８】
[0063]５０８において、しきい値数よりも多いフレーム消去が生じる場合、ＤＴＸは無効にされ得る。すなわち、セルが極めて多数のアクセス端末をサービスしている場合、たとえば他のアクセス端末からの干渉により、順方向リンク送信が多数のフレーム消去によって影響を及ぼされ得ることが起こり得る。この場合、ＤＴＸ動作を中止することにより、送信を改善し、フレーム消去の数の低減を可能にし得る。したがって、アクセス端末１０４が、受信された順方向リンク送信に対応するフレーム消去の数が所与のしきい値よりも大きいことを検出すると、プロセスはステップ５１０に進み得、ここにおいて、アクセス端末１０４はＤＴＸを無効にする。
【００５９】
[0064]本開示のさらなる態様では、ＤＴＸを無効にし、連続送信に関与するのではなく、アクセス端末１０４は、フレーム早期終了動作の動作と実質的に干渉しないような方法でＤＴＸゲーティングパターンを修正することが可能であり得る。すなわち、（上記で紹介した）フレーム早期終了に対応するＡＣＫＭａｓｋがＤＴＸタイミングと部分的にまたは完全に重複し得る（すなわち、アクセス端末１０４からのＡＣＫ送信がその中で可能にされる一部または全部のＰＣＧが、ＤＴＸに従ってオフＰＣＧに分類される）いくらかの可能性があり得る。
【００６０】
[0065]すなわち、本明細書で説明したように有効にされたトラフィックおよび／またはパイロットフレームのゲーティングのためのフレーム早期終了とＤＴＸの両方のために構成されたアクセス端末１０４では、フレーム早期終了ＡＣＫメッセージが、選択されたゲーティングパターンに従ってオフＰＣＧ中に送信されるようにスケジュールされた場合、問題が存在し得る。したがって、ＤＴＸ動作３１２は、フレーム早期終了のためのＡＣＫメッセージの送信に適応するためにパターンを補償するように有効化され得る。
【００６１】
[0066]図６は、本開示の一態様による、フレーム早期終了ＡＣＫ送信に適応するためにＤＴＸゲーティングパターンを修正するためのアクセス端末において動作可能な例示的なプロセス６００を示すフローチャートである。図示の例では、ステップ６０２において、アクセス端末１０４は、好適なゲーティングパターンを利用してＤＴＸ動作を有効にする。ステップ６０４において、アクセス端末１０４は、ＤＴＸ動作のために利用されたゲーティングパターンが、フレーム早期終了動作のために構成されたＡＣＫＭａｓｋと部分的にまたは完全に重複するかどうかを判断し得る。たとえば、少なくとも１つのＰＣＧ中にフレーム早期終了のためのＡＣＫメッセージを送信するようにアクセス端末１０４が構成されるように、ＡＣＫＭａｓｋが構成され、ここにおいて、アクセス端末１０４からの逆方向リンク送信がＤＴＸ動作に従ってゲートオフされるようにスケジュールされた場合、ＤＴＸ動作のためのゲーティングパターンはＡＣＫＭａｓｋと部分的にまたは完全に重複する。ある例では、ステップ６０４は、ＤＴＸ動作のためのゲーティングパターンがＡＣＫＭａｓｋと完全に重複するかどうか、すなわち、ここにおいて、ＤＴＸ動作に従ってゲートオフされるようにスケジュールされたＰＣＧ中のみにフレーム早期終了動作に対応するＡＣＫメッセージを送信するようにアクセス端末１０４がスケジュールされているかどうかのみを考慮し得る。
【００６２】
[0067]重複が検出された場合、ステップ６０６において、本開示の一態様によれば、アクセス端末１０４は、フレーム早期終了動作に対応する少なくとも１つのＡＣＫ送信がＤＴＸゲーティングパターンに対応するオンＰＣＧ中にスケジュールされ得るような方法で、ＤＴＸ動作を変更し得る。
【００６３】
[0068]たとえば、本開示の一態様では、ＤＴＸ動作のためのゲーティングパターンは、少なくとも１つ以上のオンＰＣＧを有効にするように修正され得る。たとえば、もう一度図４を参照すると、ゲーティングパターンが、（一般的な１６−ＰＣＧフレームにおいて）ＰＣＧ０、１、４、５、８、９、１２、および１３をゲートオフするように初期に構成された場合、ステップ６０６において、アクセス端末は、これらのＰＣＧのうちの少なくとも１つをオンＰＣＧになるように設定し得る。たとえば、ＤＴＸ動作のための得られたゲーティングパターンは、ＰＣＧ０、１、４、５、８、および９がオフＰＣＧであり、すべての他のＰＣＧがオンＰＣＧであるようなものであり得る。
【００６４】
[0069]上記で説明した態様、構成、および実施形態は具体的な詳細および委細とともに説明したが、図１、図２、図３、図４、図５、および／または図６に示した構成要素、ステップ、特徴および／または機能のうちの１つまたは複数は、単一の構成要素、ステップ、特徴または機能に再構成されおよび／または組み合わせられるか、あるいはいくつかの構成要素、ステップ、または機能で実施され得る。また、本開示から逸脱することなく追加の要素、構成要素、ステップ、および／または機能が追加されるかまたは利用されないことがある。図１、図２、および／または図３に示した装置、デバイス、および／または構成要素は、図５および／または図６で説明した方法、特徴、パラメータ、またはステップのうちの１つまたは複数を実行または採用するように構成され得る。本明細書で説明した新規のアルゴリズムはまた、効率的にソフトウェアで実装されおよび／またはハードウェアに組み込まれ得る。
【００６５】
[0070]また、少なくともいくつかの実装形態について、フローチャート、流れ図、構造図、またはブロック図として示されたプロセスとして説明したことに留意されたい。フローチャートは動作を逐次プロセスとして説明することがあるが、動作の多くは並行してまたは同時に実行され得る。さらに、動作の順序は並べ替えられ得る。プロセスは、その動作が完了すると終了する。プロセスは、方法、関数、プロシージャ、サブルーチン、サブプログラムなどに対応し得る。プロセスが関数に対応する場合、その終了は呼出し側関数またはメイン関数への関数の復帰に対応する。本明細書で説明した様々な方法は、機械可読媒体、コンピュータ可読媒体、および／またはプロセッサ可読記憶媒体に記憶され、１つまたは複数のプロセッサ、機械および／またはデバイスによって実行され得るプログラミング（たとえば、命令および／またはデータ）によって部分的にまたは完全に実装され得る。
【００６６】
[0071]さらに、本明細書で開示する実施形態に関連して説明した様々な例示的な論理ブロック、モジュール、回路、およびアルゴリズムステップは、ハードウェア、ソフトウェア、ファームウェア、ミドルウェア、マイクロコード、またはそれらの任意の組合せとして実装され得ることを、当業者は諒解されよう。この互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。
【００６７】
[0072]本明細書で説明し、添付の図面において示した例に関連する様々な特徴は、本開示の範囲から逸脱することなく、異なる例および実装形態に実装され得る。したがって、いくつかの特定の構成および配置について説明し、添付の図面において示したが、説明した実施形態への様々な他の追加および変更、ならびに説明した実施形態からの削除は当業者には明らかであるので、そのような実施形態は例示的にすぎず、開示の範囲を限定するものではない。したがって、本開示の範囲は、以下の請求項の文字通りの言語、および法的均等物によってのみ決定される。
【図１】
2015533067.tif 000003
【図２】
2015533067.tif 000004
【図３】
2015533067.tif 000005
【図４】
2015533067.tif 000006
【図５】
2015533067.tif 000007
【図６】
2015533067.tif 000008
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおける動作のために構成されたアクセス端末において動作可能なワイヤレス通信の方法であって、
所定のゲーティングパターンを利用して逆方向リンクトラフィックチャネルを送信することと、
前記ワイヤレス通信ネットワークの性能メトリックに従って、前記所定のゲーティングパターンを利用することを中止することを判断することと
を備える、方法。
【請求項２】
前記ワイヤレス通信ネットワークの前記性能メトリックが、基地局の順方向リンク電力制御設定点を備える、請求項１に記載の方法。
【請求項３】
前記所定のゲーティングパターンを前記利用することを中止することを前記判断することは、前記順方向リンク電力制御設定点が最大設定点の所定の量内にあると判断することを備える、請求項２に記載の方法。
【請求項４】
前記ワイヤレス通信ネットワークの前記性能メトリックが、基地局によって利用されている擬似直交関数セットの数を備える、請求項１に記載の方法。
【請求項５】
前記所定のゲーティングパターンを前記利用することを中止することを前記判断することは、前記アクセス端末において受信された無線構成パラメータメッセージ中の所定の数よりも多いＰＮが、それぞれしきい値数よりも多い有効にされた擬似直交関数セットを有すると判断することを備える、請求項４に記載の方法。
【請求項６】
前記ワイヤレス通信ネットワークの前記性能メトリックが、順方向リンク送信に対応するフレーム消去の数を備える、請求項１に記載の方法。
【請求項７】
前記所定のゲーティングパターンを前記利用することを中止することを前記判断することは、しきい値数よりも多いフレーム消去が所定のウィンドウ内で生じると判断することを備える、請求項６に記載の方法。
【請求項８】
ワイヤレス通信ネットワークにおける動作のために構成されたアクセス端末であって、
所定のゲーティングパターンを利用して逆方向リンクトラフィックチャネルを送信するための手段と、
前記ワイヤレス通信ネットワークの性能メトリックに従って、前記所定のゲーティングパターンを前記利用することを中止することを判断するための手段と
を備える、アクセス端末。
【請求項９】
前記ワイヤレス通信ネットワークの前記性能メトリックが、基地局の順方向リンク電力制御設定点を備える、請求項８に記載のアクセス端末。
【請求項１０】
前記所定のゲーティングパターンを前記利用することを中止することを判断するための前記手段は、前記順方向リンク電力制御設定点が最大設定点の所定の量内にあると判断するための手段を備える、請求項９に記載のアクセス端末。
【請求項１１】
前記ワイヤレス通信ネットワークの前記性能メトリックが、基地局によって利用されている擬似直交関数セットの数を備える、請求項８に記載のアクセス端末。
【請求項１２】
前記所定のゲーティングパターンを前記利用することを中止することを判断するための前記手段は、前記アクセス端末において受信された無線構成パラメータメッセージ中の所定の数よりも多いＰＮが、それぞれしきい値数よりも多い有効にされた擬似直交関数セットを有すると判断するための手段を備える、請求項１１に記載のアクセス端末。
【請求項１３】
前記ワイヤレス通信ネットワークの前記性能メトリックが、順方向リンク送信に対応するフレーム消去の数を備える、請求項８に記載のアクセス端末。
【請求項１４】
前記所定のゲーティングパターンを前記利用することを中止することを判断するための前記手段は、しきい値数よりも多いフレーム消去が所定のウィンドウ内で生じると判断するための手段を備える、請求項１３に記載のアクセス端末。
【請求項１５】
ワイヤレス通信ネットワークにおける動作のために構成されたアクセス端末であって、
少なくとも１つのプロセッサと、
前記少なくとも１つのプロセッサに通信可能に結合されたメモリと、
前記少なくとも１つのプロセッサに通信可能に結合された通信インターフェースと
を備え、
ここにおいて、前記少なくとも１つのプロセッサが、
所定のゲーティングパターンを利用して逆方向リンクトラフィックチャネルを送信することと、
前記ワイヤレス通信ネットワークの性能メトリックに従って、前記所定のゲーティングパターンを前記利用することを中止することを判断することと
を行うように構成された、アクセス端末。
【請求項１６】
前記ワイヤレス通信ネットワークの前記性能メトリックが、基地局の順方向リンク電力制御設定点を備える、請求項１５に記載のアクセス端末。
【請求項１７】
前記所定のゲーティングパターンを前記利用することを中止することを判断するように構成された前記少なくとも１つのプロセッサは、前記順方向リンク電力制御設定点が最大設定点の所定の量内にあると判断するようにさらに構成された、請求項１６に記載のアクセス端末。
【請求項１８】
前記ワイヤレス通信ネットワークの前記性能メトリックが、基地局によって利用されている擬似直交関数セットの数を備える、請求項１５に記載のアクセス端末。
【請求項１９】
前記所定のゲーティングパターンを前記利用することを中止することを判断するように構成された前記少なくとも１つのプロセッサは、前記アクセス端末において受信された無線構成パラメータメッセージ中の所定の数よりも多いＰＮが、それぞれしきい値数よりも多い有効にされた擬似直交関数セットを有すると判断するようにさらに構成された、請求項１８に記載のアクセス端末。
【請求項２０】
前記ワイヤレス通信ネットワークの前記性能メトリックが、順方向リンク送信に対応するフレーム消去の数を備える、請求項１５に記載のアクセス端末。
【請求項２１】
前記所定のゲーティングパターンを前記利用することを中止することを判断するように構成された前記少なくとも１つのプロセッサは、しきい値数よりも多いフレーム消去が所定のウィンドウ内で生じると判断するようにさらに構成された、請求項２０に記載のアクセス端末。
【請求項２２】
ワイヤレス通信ネットワークにおける動作のために構成されたアクセス端末中で動作可能なコンピュータ可読記憶媒体であって、
コンピュータに、所定のゲーティングパターンを利用して逆方向リンクトラフィックチャネルを送信させるための命令と、
コンピュータに、前記ワイヤレス通信ネットワークの性能メトリックに従って、前記所定のゲーティングパターンを前記利用することを中止することを判断させるための命令と
を備える、コンピュータ可読記憶媒体。
【請求項２３】
前記ワイヤレス通信ネットワークの前記性能メトリックが、基地局の順方向リンク電力制御設定点を備える、請求項２２に記載のコンピュータ可読記憶媒体。
【請求項２４】
コンピュータに、前記所定のゲーティングパターンを前記利用することを中止することを判断させるための前記命令は、コンピュータに、前記順方向リンク電力制御設定点が最大設定点の所定の量内にあると判断させるための命令を備える、請求項２３に記載のコンピュータ可読記憶媒体。
【請求項２５】
前記ワイヤレス通信ネットワークの前記性能メトリックが、基地局によって利用されている擬似直交関数セットの数を備える、請求項２２に記載のコンピュータ可読記憶媒体。
【請求項２６】
コンピュータに、前記所定のゲーティングパターンを前記利用することを中止することを判断させるための前記命令は、コンピュータに、前記アクセス端末において受信された無線構成パラメータメッセージ中の所定の数よりも多いＰＮが、それぞれしきい値数よりも多い有効にされた擬似直交関数セットを有すると判断させるための命令を備える、請求項２５に記載のコンピュータ可読記憶媒体。
【請求項２７】
前記ワイヤレス通信ネットワークの前記性能メトリックが、順方向リンク送信に対応するフレーム消去の数を備える、請求項２２に記載のコンピュータ可読記憶媒体。
【請求項２８】
コンピュータに、前記所定のゲーティングパターンを前記利用することを中止することを判断させるための前記命令は、コンピュータに、しきい値数よりも多いフレーム消去が所定のウィンドウ内で生じると判断させるための命令を備える、請求項２７に記載のコンピュータ可読記憶媒体。
【手続補正２】
【補正対象書類名】明細書
【補正対象項目名】００６７
【補正方法】変更
【補正の内容】
【００６７】
[0072]本明細書で説明し、添付の図面において示した例に関連する様々な特徴は、本開示の範囲から逸脱することなく、異なる例および実装形態に実装され得る。したがって、いくつかの特定の構成および配置について説明し、添付の図面において示したが、説明した実施形態への様々な他の追加および変更、ならびに説明した実施形態からの削除は当業者には明らかであるので、そのような実施形態は例示的にすぎず、開示の範囲を限定するものではない。したがって、本開示の範囲は、以下の請求項の文字通りの言語、および法的均等物によってのみ決定される。
以下に、出願当初の特許請求の範囲に記載された発明を付記する。
［Ｃ１］
ワイヤレス通信ネットワークにおける動作のために構成されたアクセス端末において動作可能なワイヤレス通信の方法であって、
所定のゲーティングパターンを利用して逆方向リンクトラフィックチャネルを送信することと、
前記ワイヤレス通信ネットワークの性能メトリックに従って、前記所定のゲーティングパターンを利用することを中止することを判断することと
を備える、方法。
［Ｃ２］
前記ワイヤレス通信ネットワークの前記性能メトリックが、基地局の順方向リンク電力制御設定点を備える、Ｃ１に記載の方法。
［Ｃ３］
前記所定のゲーティングパターンを前記利用することを中止することを前記判断することは、前記順方向リンク電力制御設定点が最大設定点の所定の量内にあると判断することを備える、Ｃ２に記載の方法。
［Ｃ４］
前記ワイヤレス通信ネットワークの前記性能メトリックが、基地局によって利用されている擬似直交関数セットの数を備える、Ｃ１に記載の方法。
［Ｃ５］
前記所定のゲーティングパターンを前記利用することを中止することを前記判断することは、前記アクセス端末において受信された無線構成パラメータメッセージ中の所定の数よりも多いＰＮが、それぞれしきい値数よりも多い有効にされた擬似直交関数セットを有すると判断することを備える、Ｃ４に記載の方法。
［Ｃ６］
前記ワイヤレス通信ネットワークの前記性能メトリックが、順方向リンク送信に対応するフレーム消去の数を備える、Ｃ１に記載の方法。
［Ｃ７］
前記所定のゲーティングパターンを前記利用することを中止することを前記判断することは、しきい値数よりも多いフレーム消去が所定のウィンドウ内で生じると判断することを備える、Ｃ６に記載の方法。
［Ｃ８］
ワイヤレス通信の方法であって、
所定のゲーティングパターンを利用して逆方向リンクトラフィックチャネルを送信することと、
前記所定のゲーティングパターンが、フレーム早期終了のために利用されるＡＣＫＭａｓｋパターンと重複すると判断することと、
前記ＡＣＫＭａｓｋパターンと重複しない少なくとも１つのＰＣＧ中に前記逆方向リンクトラフィックチャネルの送信を可能にするために前記ゲーティングパターンを変更することと
を備える、方法。
［Ｃ９］
前記ゲーティングパターンを前記変更することが、少なくとも１つのオフＰＣＧをオンＰＣＧに変更することを備える、Ｃ８に記載の方法。
［Ｃ１０］
ワイヤレス通信ネットワークにおける動作のために構成されたアクセス端末であって、
所定のゲーティングパターンを利用して逆方向リンクトラフィックチャネルを送信するための手段と、
前記ワイヤレス通信ネットワークの性能メトリックに従って、前記所定のゲーティングパターンを前記利用することを中止することを判断するための手段と
を備える、アクセス端末。
［Ｃ１１］
前記ワイヤレス通信ネットワークの前記性能メトリックが、基地局の順方向リンク電力制御設定点を備える、Ｃ１０に記載のアクセス端末。
［Ｃ１２］
前記所定のゲーティングパターンを前記利用することを中止することを判断するための前記手段は、前記順方向リンク電力制御設定点が最大設定点の所定の量内にあると判断するための手段を備える、Ｃ１１に記載のアクセス端末。
［Ｃ１３］
前記ワイヤレス通信ネットワークの前記性能メトリックが、基地局によって利用されている擬似直交関数セットの数を備える、Ｃ１０に記載のアクセス端末。
［Ｃ１４］
前記所定のゲーティングパターンを前記利用することを中止することを判断するための前記手段は、前記アクセス端末において受信された無線構成パラメータメッセージ中の所定の数よりも多いＰＮが、それぞれしきい値数よりも多い有効にされた擬似直交関数セットを有すると判断するための手段を備える、Ｃ１３に記載のアクセス端末。
［Ｃ１５］
前記ワイヤレス通信ネットワークの前記性能メトリックが、順方向リンク送信に対応するフレーム消去の数を備える、Ｃ１０に記載のアクセス端末。
［Ｃ１６］
前記所定のゲーティングパターンを前記利用することを中止することを判断するための前記手段は、しきい値数よりも多いフレーム消去が所定のウィンドウ内で生じると判断するための手段を備える、Ｃ１５に記載のアクセス端末。
［Ｃ１７］
ワイヤレス通信ネットワークにおける動作のために構成されたアクセス端末であって、
所定のゲーティングパターンを利用して逆方向リンクトラフィックチャネルを送信するための手段と、
前記所定のゲーティングパターンが、フレーム早期終了のために利用されるＡＣＫＭａｓｋパターンと重複すると判断するための手段と、
前記ＡＣＫＭａｓｋパターンと重複しない少なくとも１つのＰＣＧ中に前記逆方向リンクトラフィックチャネルの送信を可能にするために前記ゲーティングパターンを変更するための手段と
を備える、アクセス端末。
［Ｃ１８］
前記ゲーティングパターンを変更するための前記手段が、少なくとも１つのオフＰＣＧをオンＰＣＧに変更するための手段を備える、Ｃ１７に記載のアクセス端末。
［Ｃ１９］
ワイヤレス通信ネットワークにおける動作のために構成されたアクセス端末であって、
少なくとも１つのプロセッサと、
前記少なくとも１つのプロセッサに通信可能に結合されたメモリと、
前記少なくとも１つのプロセッサに通信可能に結合された通信インターフェースと
を備え、
ここにおいて、前記少なくとも１つのプロセッサが、
所定のゲーティングパターンを利用して逆方向リンクトラフィックチャネルを送信することと、
前記ワイヤレス通信ネットワークの性能メトリックに従って、前記所定のゲーティングパターンを前記利用することを中止することを判断することと
を行うように構成された、アクセス端末。
［Ｃ２０］
前記ワイヤレス通信ネットワークの前記性能メトリックが、基地局の順方向リンク電力制御設定点を備える、Ｃ１９に記載のアクセス端末。
［Ｃ２１］
前記所定のゲーティングパターンを前記利用することを中止することを判断するように構成された前記少なくとも１つのプロセッサは、前記順方向リンク電力制御設定点が最大設定点の所定の量内にあると判断するようにさらに構成された、Ｃ２０に記載のアクセス端末。
［Ｃ２２］
前記ワイヤレス通信ネットワークの前記性能メトリックが、基地局によって利用されている擬似直交関数セットの数を備える、Ｃ１９に記載のアクセス端末。
［Ｃ２３］
前記所定のゲーティングパターンを前記利用することを中止することを判断するように構成された前記少なくとも１つのプロセッサは、前記アクセス端末において受信された無線構成パラメータメッセージ中の所定の数よりも多いＰＮが、それぞれしきい値数よりも多い有効にされた擬似直交関数セットを有すると判断するようにさらに構成された、Ｃ２２に記載のアクセス端末。
［Ｃ２４］
前記ワイヤレス通信ネットワークの前記性能メトリックが、順方向リンク送信に対応するフレーム消去の数を備える、Ｃ１９に記載のアクセス端末。
［Ｃ２５］
前記所定のゲーティングパターンを前記利用することを中止することを判断するように構成された前記少なくとも１つのプロセッサは、しきい値数よりも多いフレーム消去が所定のウィンドウ内で生じると判断するようにさらに構成された、Ｃ２４に記載のアクセス端末。
［Ｃ２６］
ワイヤレス通信ネットワークにおける動作のために構成されたアクセス端末であって、
少なくとも１つのプロセッサと、
前記少なくとも１つのプロセッサに通信可能に結合されたメモリと、
前記少なくとも１つのプロセッサに通信可能に結合された通信インターフェースと
を備え、
ここにおいて、前記少なくとも１つのプロセッサは、
所定のゲーティングパターンを利用して逆方向リンクトラフィックチャネルを送信することと、
前記所定のゲーティングパターンが、フレーム早期終了のために利用されるＡＣＫＭａｓｋパターンと重複すると判断することと、
前記ＡＣＫＭａｓｋパターンと重複しない少なくとも１つのＰＣＧ中に前記逆方向リンクトラフィックチャネルの送信を可能にするために前記ゲーティングパターンを変更することと
を行うように構成された、アクセス端末。
［Ｃ２７］
前記ゲーティングパターンを変更するように構成された前記少なくとも１つのプロセッサが、少なくとも１つのオフＰＣＧをオンＰＣＧに変更するようにさらに構成された、Ｃ２６に記載のアクセス端末。
［Ｃ２８］
ワイヤレス通信ネットワークにおける動作のために構成されたアクセス端末中で動作可能なコンピュータ可読記憶媒体であって、
コンピュータに、所定のゲーティングパターンを利用して逆方向リンクトラフィックチャネルを送信させるための命令と、
コンピュータに、前記ワイヤレス通信ネットワークの性能メトリックに従って、前記所定のゲーティングパターンを前記利用することを中止することを判断させるための命令と
を備える、コンピュータ可読記憶媒体。
［Ｃ２９］
前記ワイヤレス通信ネットワークの前記性能メトリックが、基地局の順方向リンク電力制御設定点を備える、Ｃ２８に記載のコンピュータ可読記憶媒体。
［Ｃ３０］
コンピュータに、前記所定のゲーティングパターンを前記利用することを中止することを判断させるための前記命令は、コンピュータに、前記順方向リンク電力制御設定点が最大設定点の所定の量内にあると判断させるための命令を備える、Ｃ２９に記載のコンピュータ可読記憶媒体。
［Ｃ３１］
前記ワイヤレス通信ネットワークの前記性能メトリックが、基地局によって利用されている擬似直交関数セットの数を備える、Ｃ２８に記載のコンピュータ可読記憶媒体。
［Ｃ３２］
コンピュータに、前記所定のゲーティングパターンを前記利用することを中止することを判断させるための前記命令は、コンピュータに、前記アクセス端末において受信された無線構成パラメータメッセージ中の所定の数よりも多いＰＮが、それぞれしきい値数よりも多い有効にされた擬似直交関数セットを有すると判断させるための命令を備える、Ｃ３１に記載のコンピュータ可読記憶媒体。
［Ｃ３３］
前記ワイヤレス通信ネットワークの前記性能メトリックが、順方向リンク送信に対応するフレーム消去の数を備える、Ｃ２８に記載のコンピュータ可読記憶媒体。
［Ｃ３４］
コンピュータに、前記所定のゲーティングパターンを前記利用することを中止することを判断させるための前記命令は、コンピュータに、しきい値数よりも多いフレーム消去が所定のウィンドウ内で生じると判断させるための命令を備える、Ｃ３３に記載のコンピュータ可読記憶媒体。
［Ｃ３５］
ワイヤレス通信ネットワークにおける動作のために構成されたアクセス端末中で動作可能なコンピュータ可読記憶媒体であって、
コンピュータに、所定のゲーティングパターンを利用して逆方向リンクトラフィックチャネルを送信させるための命令と、
コンピュータに、前記所定のゲーティングパターンが、フレーム早期終了のために利用されるＡＣＫＭａｓｋパターンと重複すると判断させるための命令と、
コンピュータに、前記ＡＣＫＭａｓｋパターンと重複しない少なくとも１つのＰＣＧ中に前記逆方向リンクトラフィックチャネルの送信を可能にするために前記ゲーティングパターンを変更させるための命令と
を備える、コンピュータ可読記憶媒体。
［Ｃ３６］
コンピュータに前記ゲーティングパターンを変更させるための前記命令が、コンピュータに少なくとも１つのオフＰＣＧをオンＰＣＧに変更させるための命令を備える、Ｃ３５に記載のコンピュータ可読記憶媒体。
【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおける動作のために構成されたアクセス端末において動作可能なワイヤレス通信の方法であって、
所定のゲーティングパターンを利用して逆方向リンクトラフィックチャネルを送信することと、
前記アクセス端末において、前記ワイヤレス通信ネットワークの性能メトリックを判断することと、
前記ワイヤレス通信ネットワークの前記性能メトリックに従って、前記所定のゲーティングパターンを利用することを中止することを判断することと
を備える、方法。
【請求項２】
前記ワイヤレス通信ネットワークの前記性能メトリックが、基地局の順方向リンク電力制御設定点を備える、請求項１に記載の方法。
【請求項３】
前記所定のゲーティングパターンを前記利用することを中止することを前記判断することは、前記順方向リンク電力制御設定点が最大設定点の所定の量内にあると判断することを備える、請求項２に記載の方法。
【請求項４】
前記ワイヤレス通信ネットワークの前記性能メトリックが、基地局によって利用されている擬似直交関数セットの数を備える、請求項１に記載の方法。
【請求項５】
前記所定のゲーティングパターンを前記利用することを中止することを前記判断することは、前記アクセス端末において受信された無線構成パラメータメッセージ中の所定の数よりも多いＰＮが、それぞれしきい値数よりも多い有効にされた擬似直交関数セットを有すると判断することを備える、請求項４に記載の方法。
【請求項６】
前記ワイヤレス通信ネットワークの前記性能メトリックが、順方向リンク送信に対応するフレーム消去の数を備える、請求項１に記載の方法。
【請求項７】
前記所定のゲーティングパターンを前記利用することを中止することを前記判断することは、しきい値数よりも多いフレーム消去が所定のウィンドウ内で生じると判断することを備える、請求項６に記載の方法。
【請求項８】
ワイヤレス通信ネットワークにおける動作のために構成されたアクセス端末であって、
所定のゲーティングパターンを利用して逆方向リンクトラフィックチャネルを送信するための手段と、
前記アクセス端末において、前記ワイヤレス通信ネットワークの性能メトリックを判断するための手段と、
前記ワイヤレス通信ネットワークの前記性能メトリックに従って、前記所定のゲーティングパターンを前記利用することを中止することを判断するための手段と
を備える、アクセス端末。
【請求項９】
前記ワイヤレス通信ネットワークの前記性能メトリックが、基地局の順方向リンク電力制御設定点を備える、請求項８に記載のアクセス端末。
【請求項１０】
前記所定のゲーティングパターンを前記利用することを中止することを判断するための前記手段は、前記順方向リンク電力制御設定点が最大設定点の所定の量内にあると判断するための手段を備える、請求項９に記載のアクセス端末。
【請求項１１】
前記ワイヤレス通信ネットワークの前記性能メトリックが、基地局によって利用されている擬似直交関数セットの数を備える、請求項８に記載のアクセス端末。
【請求項１２】
前記所定のゲーティングパターンを前記利用することを中止することを判断するための前記手段は、前記アクセス端末において受信された無線構成パラメータメッセージ中の所定の数よりも多いＰＮが、それぞれしきい値数よりも多い有効にされた擬似直交関数セットを有すると判断するための手段を備える、請求項１１に記載のアクセス端末。
【請求項１３】
前記ワイヤレス通信ネットワークの前記性能メトリックが、順方向リンク送信に対応するフレーム消去の数を備える、請求項８に記載のアクセス端末。
【請求項１４】
前記所定のゲーティングパターンを前記利用することを中止することを判断するための前記手段は、しきい値数よりも多いフレーム消去が所定のウィンドウ内で生じると判断するための手段を備える、請求項１３に記載のアクセス端末。
【請求項１５】
ワイヤレス通信ネットワークにおける動作のために構成されたアクセス端末であって、
少なくとも１つのプロセッサと、
前記少なくとも１つのプロセッサに通信可能に結合されたメモリと、
前記少なくとも１つのプロセッサに通信可能に結合された通信インターフェースと
を備え、
ここにおいて、前記少なくとも１つのプロセッサが、
所定のゲーティングパターンを利用して逆方向リンクトラフィックチャネルを送信することと、
前記ワイヤレス通信ネットワークの性能メトリックを判断することと、
前記ワイヤレス通信ネットワークの前記性能メトリックに従って、前記所定のゲーティングパターンを前記利用することを中止することを判断することと
を行うように構成された、アクセス端末。
【請求項１６】
前記ワイヤレス通信ネットワークの前記性能メトリックが、基地局の順方向リンク電力制御設定点を備える、請求項１５に記載のアクセス端末。
【請求項１７】
前記所定のゲーティングパターンを前記利用することを中止することを判断するように構成された前記少なくとも１つのプロセッサは、前記順方向リンク電力制御設定点が最大設定点の所定の量内にあると判断するようにさらに構成された、請求項１６に記載のアクセス端末。
【請求項１８】
前記ワイヤレス通信ネットワークの前記性能メトリックが、基地局によって利用されている擬似直交関数セットの数を備える、請求項１５に記載のアクセス端末。
【請求項１９】
前記所定のゲーティングパターンを前記利用することを中止することを判断するように構成された前記少なくとも１つのプロセッサは、前記アクセス端末において受信された無線構成パラメータメッセージ中の所定の数よりも多いＰＮが、それぞれしきい値数よりも多い有効にされた擬似直交関数セットを有すると判断するようにさらに構成された、請求項１８に記載のアクセス端末。
【請求項２０】
前記ワイヤレス通信ネットワークの前記性能メトリックが、順方向リンク送信に対応するフレーム消去の数を備える、請求項１５に記載のアクセス端末。
【請求項２１】
前記所定のゲーティングパターンを前記利用することを中止することを判断するように構成された前記少なくとも１つのプロセッサは、しきい値数よりも多いフレーム消去が所定のウィンドウ内で生じると判断するようにさらに構成された、請求項２０に記載のアクセス端末。
【請求項２２】
ワイヤレス通信ネットワークにおける動作のために構成されたアクセス端末中で動作可能なコンピュータ可読記憶媒体であって、
コンピュータに、所定のゲーティングパターンを利用して逆方向リンクトラフィックチャネルを送信させるための命令と、
コンピュータに、前記ワイヤレス通信ネットワークの性能メトリックを判断させるための命令と、
コンピュータに、前記ワイヤレス通信ネットワークの前記性能メトリックに従って、前記所定のゲーティングパターンを前記利用することを中止することを判断させるための命令と
を備える、コンピュータ可読記憶媒体。
【請求項２３】
前記ワイヤレス通信ネットワークの前記性能メトリックが、基地局の順方向リンク電力制御設定点を備える、請求項２２に記載のコンピュータ可読記憶媒体。
【請求項２４】
コンピュータに、前記所定のゲーティングパターンを前記利用することを中止することを判断させるための前記命令は、コンピュータに、前記順方向リンク電力制御設定点が最大設定点の所定の量内にあると判断させるための命令を備える、請求項２３に記載のコンピュータ可読記憶媒体。
【請求項２５】
前記ワイヤレス通信ネットワークの前記性能メトリックが、基地局によって利用されている擬似直交関数セットの数を備える、請求項２２に記載のコンピュータ可読記憶媒体。
【請求項２６】
コンピュータに、前記所定のゲーティングパターンを前記利用することを中止することを判断させるための前記命令は、コンピュータに、前記アクセス端末において受信された無線構成パラメータメッセージ中の所定の数よりも多いＰＮが、それぞれしきい値数よりも多い有効にされた擬似直交関数セットを有すると判断させるための命令を備える、請求項２５に記載のコンピュータ可読記憶媒体。
【請求項２７】
前記ワイヤレス通信ネットワークの前記性能メトリックが、順方向リンク送信に対応するフレーム消去の数を備える、請求項２２に記載のコンピュータ可読記憶媒体。
【請求項２８】
コンピュータに、前記所定のゲーティングパターンを前記利用することを中止することを判断させるための前記命令は、コンピュータに、しきい値数よりも多いフレーム消去が所定のウィンドウ内で生じると判断させるための命令を備える、請求項２７に記載のコンピュータ可読記憶媒体。
【国際調査報告】
2015533067.tif 000009
2015533067.tif 000010
2015533067.tif 000011
2015533067.tif 000012
2015533067.tif 000013
2015533067.tif 000014